(57)【要約】【課題】ＩＰ網で接続される送信側と受信側との間で共通のクロック信号によりデータを同期伝送するインターフェース装置及び電気通信システムを提供する。【解決手段】本発明のインターフェース装置（６１，７１）は、アナログ状態信号を標本化して伝送データを生成する状態信号標本化部（６６）と、該伝送データを送信側と受信側との間で共通のクロック信号から同期して変換した伝送クロックで受信側に／送信側から送信／受信する送受信部（７４）と、受信した伝送データから伝送タイミングを抽出するタイミング抽出部（６３）と、伝送クロックを前記クロック信号と同一周期のクロック信号に逆変換するクロック周波数逆変換部（６５）とを備える。状態信号標本化部（６６）は、逆変換したクロック信号で当該アナログ状態信号を標本化して伝送データを生成する。【選択図】図１
2010199667.tif 000002
【特許請求の範囲】
【請求項１】
ＩＰ網で接続される送信側と受信側との間で共通のクロック信号によりデータを同期伝送するインターフェース装置であって、
アナログ状態信号を標本化して伝送データを生成する状態信号標本化手段と、
該伝送データを前記クロック信号から同期して変換した伝送クロックで受信側に送信する送信手段と、
受信側からの伝送データを前記伝送クロックで同期して受信する受信手段と、
受信した伝送データから伝送タイミングを抽出するタイミング抽出手段と、
前記受信した伝送データから抽出した伝送タイミングで再生される伝送クロックを、前記クロック信号と同一周期のクロック信号に逆変換するクロック周波数逆変換手段とを備え、
前記状態信号標本化手段は、逆変換したクロック信号で当該アナログ状態信号を標本化して伝送データを生成することを特徴とするインターフェース装置。
【請求項２】
送信側と受信側との間で共通のクロック源から供給されるクロック信号の周波数に基づいて、前記伝送クロックを生成するクロック周波数変換手段を更に備えることを特徴とする、請求項１に記載のインターフェース装置。
【請求項３】
受信側からの伝送データを当該伝送クロックから同期して逆変換したクロック信号で当該アナログ状態信号へと再生する状態信号再生手段を更に備えることを特徴とする、請求項２に記載のインターフェース装置。
【請求項４】
前記受信手段は、受信側から所定サイズの伝送データの空きを検出する手段を有し、該空きを検出した場合に、ダミーデータを受信した伝送データとして生成することを特徴とする、請求項１〜３のいずれか一項に記載のインターフェース装置。
【請求項５】
送信側及び受信側の双方に、請求項４に記載のインターフェース装置を備えることを特徴とする、電気通信システム。
【請求項６】
送信側にて、前記状態信号標本化手段における標本化の周期を規定するクロック信号は、送信側のインターフェース装置の外部から受信側と共通に供給されることを特徴とする、請求項５に記載の電気通信システム。
【請求項７】
送信側にて、前記送信手段における伝送データの送信の周期を規定するクロック信号は、送信側のインターフェース装置の外部から受信側と共通に供給されることを特徴とする、請求項５又は６に記載の電気通信システム。
【請求項８】
受信側にて、前記受信手段における伝送データの受信の周期を規定するクロック信号は、受信側のインターフェース装置の外部から送信側と共通に供給されることを特徴とする、請求項５〜７のいずれか一項に記載の電気通信システム。
【請求項９】
受信側にて、前記状態信号再生手段における標本化の周期を規定するクロック信号は、受信側のインターフェース装置の外部から送信側と共通に供給されることを特徴とする、請求項５〜８のいずれか一項に記載の電気通信システム。
【請求項１０】
ＩＰ網で接続される送信側と受信側における双方のインターフェース装置で接続されるＩＰ網の伝送路は、他のインターフェースで接続される伝送路と共用していることを特徴とする、請求項５〜９のいずれか一項に記載の電気通信システム。
【発明の詳細な説明】
【技術分野】
【０００１】
本発明は、送信側にて、一定周期（同一周期）で状態を標本化して、標本化したアナログ状態信号（音声信号又は画像信号、又は電信信号など）を受信側へ送信し、受信側にて送信側から送信した標本化されたアナログ状態信号を受信し、送信側から送信された標本化されたアナログ状態信号を再生することで通信を実現するインターフェース装置及び電気通信システムに関する。
【０００２】
本発明は、特に、送信側及び受信側に加入者線インターフェース状態信号標本化・再生部（たとえばＢＯＲＳＣＨＴ機能）を設け、送信側にて、一定周期（同一周期）で音声信号をＡ／Ｄ変換して受信側へ送信し、受信側にて、送信側から送信された標本化された音声信号を一定周期（同一周期）でＤ／Ａ変換し、音声通信を実現する、インターフェース装置及び電気通信システムに関する。
【背景技術】
【０００３】
ＳＴＭ網と称される特定の電気通信網では、この電気通信網に接続された通信装置が単一のクロック源により動作していた。このため、例えば、送信側及び受信側に設けられる加入者線インターフェース装置におけるアナログ状態信号の標本化・再生部（例えばＢＯＲＳＣＨＴ機能）は、送信側では、一定周期（同一周期）で音声信号をＡ／Ｄ変換して受信側へ送信し、受信側では、送信側から送信された標本化された音声信号を一定周期（同一周期）でＤ／Ａ変換する。この際、音声通信を実現する電気通信網に関するものの場合、送信側にて音声信号をＡ／Ｄ変換する周期と、送信側にてＡ／Ｄ変換された音声信号を受信側へ送信する周期と、受信側にて送信側から送信されたＡ／Ｄ変換された音声信号を受信する周期と、受信側にて音声信号をＤ／Ａ変換する周期は、送信側及び受信側ともに同期していた。
【０００４】
一方、近年サービスが開始された、ＩＰ網を用いて電話サービスを提供するＶｏＩＰ（Ｖｏｉｃｅ  ｏｖｅｒ  Ｉｎｔｅｒｎｅｔ ｐｒｏｔｏｃｏｌ）では、一部で電気通信網に接続された送信側及び受信側の加入者線インターフェース装置にて音声信号の標本化・再生のためにクロックを供給する機能を省略し、送信側及び受信側の加入者線インターフェース装置にて音声信号の標本化・再生のために装置内で独自に生成したクロックで動作するものがある。
【０００５】
このため、送信側にて音声信号をＡ／Ｄ変換する周期、送信側にてＡ／Ｄ変換された音声信号を受信側へ送信する周期、受信側にて送信側から送信されたＡ／Ｄ変換された音声信号を受信する周期、及び受信側にて音声信号をＤ／Ａ変換する周期は、送信側及び受信側間で同期していない。
【０００６】
送信側及び受信側間で同期しないことで、送信側にて音声信号をＡ／Ｄ変換する周期、送信側にてＡ／Ｄ変換された音声信号を受信側へ送信する周期、受信側にて送信側から送信されたＡ／Ｄ変換された音声信号を受信する周期、及び受信側にて音声信号をＤ／Ａ変換する周期が一致せず、更に、単位時間内に送信側にて音声信号をＡ／Ｄ変換する回数と受信側にて音声信号をＤ／Ａ変換する回数が一致しないことになる。これは、送信側で標本化された音声信号が受信側で再生される間隔が異なって、送信側で標本化された音声信号が受信側で再生されず廃棄されるか、又は、受信側で再生される音声信号が不足して補間を要するなど、伝送される音声信号に影響を与え、即ち通話品質が劣化する場合がある（例えば、非特許文献１参照）。
【０００７】
上記の例では音声信号を例に挙げたが、通信の対象となる信号が画像や電信などの任意の伝送信号においても同様の原因による通信品質の劣化が発生しうる。
【先行技術文献】
【非特許文献】
【０００８】
【非特許文献１】佐藤教之、岡村正司、石沢昭、重信大輔、「ＩＰ網による加入電話サービスの一検討」、電子情報通学会２００４ソサイエティ大会後援論文集、２００４年９月２５日、Ｂ−６−７２
【発明の概要】
【発明が解決しようとする課題】
【０００９】
一部の伝送路を用いてクロックを供給することは煩雑な作業となる。これを回避するために、電気通信網に接続された送信側及び受信側の加入者線インターフェース装置におけるアナログ状態信号の標本化・再生部にクロックを供給する機能を省略し、送信側及び受信側の加入者線インターフェース装置におけるアナログ状態信号の標本化・再生部が各装置内で独自に生成したクロックで動作するように構成することは、上述のように通信品質の劣化を生じうる。
【００１０】
例えば、図４に、既存のＩＰ網における通信品質の劣化を生じる例を示す。図４を参照するに、ＩＰ電話などの装置３０１及び３０２間で音声データをＩＰパケットで双方向通信する電気通信網の態様が考えられる。通常、装置３０１及び３０２をＩＰ網に接続する際に、アナログ加入者線インターフェース装置３０３及び３０４が設けられる。ここで、アナログ加入者線インターフェース装置３０３及び３０４は、予め定められた周波数のクロックでの動作に適合するように、それぞれが個別に用意したクロック源（図示せず）を備えている。しかしながら、このようなアナログ加入者線インターフェース装置３０３及び３０４の各々は、予め定められた周波数に適合させるクロック源を有していたとしても、アナログ加入者線インターフェース装置３０３及び３０４の各々の間でわずかに周波数のずれが生じうる。
【００１１】
例えば、図４に示すように、アナログ加入者線インターフェース装置３０３のクロックの周波数（例えば、３２．７６７８８７９ＭＨｚ）がアナログ加入者線インターフェース装置３０４のクロックの周波数（例えば、３２．７６７８０６７ＭＨｚ）よりも高い場合を考える。また、アナログ加入者線インターフェース装置３０３（又は３０４）が、受信用バッファＰ１（又はＰ４）と、送信用バッファＰ３（又はＰ２）とを有するものとする。
【００１２】
この場合、例えば、通信方向αでは、装置３０２によって送出される音声データが装置３０１によって再生される音声データよりも単位時間当たりのパケット数が多くなると、音声データの滞留が発生して伝送遅延が生じうる。また、通信方向βでは、装置３０２によって送出される音声データが装置３０２によって再生される音声データよりも単位時間当たりのパケット数が少なくなると、再生する音声データの不足が発生し、遅延時間の減少に伴うバッファ内データの送出におけるいわゆる“音とび”が生じうる。従って、アナログ加入者線インターフェース装置３０３及び３０４の各々の間でわずかに周波数のずれが生じると、通信品質の劣化を生じうる。
【００１３】
本発明の目的は、簡便な態様で同一周期の伝送クロックを伝送路上に配信して、煩雑な作業を要することなく通信品質の劣化を防止する、電気通信網におけるインターフェース装置及び電気通信システムを提供することにある。
【課題を解決するための手段】
【００１４】
本発明の電気通信システムは、送信側及び受信側に加入者線インターフェース機能（例えばＢＯＲＳＣＨＴ機能）を設け、送信側にて標本化されたアナログ状態信号を受信側へ送信する周期、受信側にて送信側から送信された標本化されたアナログ状態信号を受信する周期、及び受信側にて送信側から送信された標本化されたアナログ状態信号を再生する周期を同期させることにより、送信側にて、一定周期（同一周期）で音声をＡ／Ｄ変換して受信側へ送信し、受信側にて、送信側から送信された標本化された音声を一定周期（同一周期）でＤ／Ａ変換するように構成される。
【００１５】
例えば、音声通信を実現する電気通信網の場合、送信側にて音声を標本化する周期、送信側にて標本化された音声を受信側へ送信する周期、受信側にて送信側から送信された漂本化された音声を受信する周期、及び、受信側にて送信側から送信された標本化された音声を再生する周期を同期させることにより、通信品質の劣化を防止する電気通信網を簡便に実現する。
【００１６】
即ち、本発明によるインターフェース装置は、ＩＰ網で接続される送信側と受信側との間で共通のクロック信号によりデータを同期伝送するインターフェース装置であって、アナログ状態信号を標本化して伝送データを生成する状態信号標本化手段と、該伝送データを前記クロック信号から同期して変換した伝送クロックで受信側に送信する送信手段と、受信側からの伝送データを前記伝送クロックで同期して受信する受信手段と、受信した伝送データから伝送タイミングを抽出するタイミング抽出手段と、前記受信した伝送データから抽出した伝送タイミングで再生される伝送クロックを、前記クロック信号と同一周期のクロック信号に逆変換するクロック周波数逆変換手段とを備え、前記状態信号標本化手段は、逆変換したクロック信号で当該アナログ状態信号を標本化して伝送データを生成することを特徴とする。
【００１７】
また、本発明によるインターフェース装置において、送信側と受信側との間で共通のクロック源から供給されるクロック信号の周波数に基づいて、前記伝送クロックを生成するクロック周波数変換手段を更に備えることを特徴とする。
【００１８】
また、本発明によるインターフェース装置において、受信側からの伝送データを当該伝送クロックから同期して逆変換したクロック信号で当該アナログ状態信号へと再生する状態信号再生手段を更に備えることを特徴とする。
【００１９】
また、本発明によるインターフェース装置において、前記受信手段は、受信側から所定サイズの伝送データの空きを検出する手段を有し、該空きを検出した場合に、ダミーデータを受信した伝送データとして生成することを特徴とする。
【００２０】
更に、本発明は、送信側及び受信側の双方に、本発明のインターフェース装置を備える電気通信システムとしても特徴付けられる。
【００２１】
本発明の電気通信システムにおいて、送信側にて、前記状態信号標本化手段における標本化の周期を規定するクロック信号は、送信側のインターフェース装置の外部から受信側と共通に供給されることを特徴とする。
【００２２】
本発明の電気通信システムにおいて、送信側にて、前記送信手段における伝送データの送信の周期を規定するクロック信号は、送信側のインターフェース装置の外部から受信側と共通に供給されることを特徴とする。
【００２３】
本発明の電気通信システムにおいて、受信側にて、前記受信手段における伝送データの受信の周期を規定するクロック信号は、受信側のインターフェース装置の外部から送信側と共通に供給されることを特徴とする。
【００２４】
本発明の電気通信システムにおいて、受信側にて、前記状態信号再生手段における標本化の周期を規定するクロック信号は、受信側のインターフェース装置の外部から送信側と共通に供給されることを特徴とする。
【００２５】
本発明の電気通信システムにおいて、ＩＰ網で接続される送信側と受信側における双方のインターフェース装置で接続されるＩＰ網の伝送路は、他のインターフェースで接続される伝送路と共用していることを特徴とする。
【発明の効果】
【００２６】
本発明によれば、伝送路で同一周期の伝送クロックを簡便に配信し、伝送路に接続された、送信側及び受信側双方のインターフェース装置に同一周期の伝送クロックを供給することにより、通信品質の劣化を防ぐことができる。
【図面の簡単な説明】
【００２７】
【図１】本発明による一実施例のインターフェース装置の一例を示す図である。
【図２】本発明による一実施例の電気通信システムを示す図である。
【図３】「１０００ＢＡＳＥ−ＬＸ」による電気通信網に適用した場合の本発明による一実施例の電気通信システム例を示す図である。
【図４】従来のアナログ加入者線インターフェース装置の一例を示す図である。
【発明を実施するための形態】
【００２８】
［インターフェース装置］
図１は、本発明による一実施例のインターフェース装置の一例を示す図である。図１に示すインターフェース装置は、端末装置６１と、網側伝送制御装置７１とを備え、網クロック源１からのクロック信号に同期して、ＩＰ電話やＩＰ端末などの機器からの画像や電信などの任意の伝送信号を表すアナログ状態信号を受信し、伝送データ用に符号化してＩＰパケットを生成し、伝送データとして装置外部へと伝送するか、或いは又、伝送データとして装置外部から得られるＩＰパケットを受信して復号し、アナログ状態信号を再生するように機能する装置である。
【００２９】
端末装置６１及び網側伝送制御装置７１からなるインターフェース装置は、送信用又は受信用のいずれにも利用することができる。
【００３０】
網側伝送制御装置７１は、クロック周波数変換部７２と、符号化・復号部７３と、送受信部７４とを備える。
【００３１】
クロック周波数変換部７２は、網クロック源１から供給されたクロック信号をデータ伝送に適した伝送クロックに変換（例えば定倍）し、送受信部７４に供給する機能を有する。
【００３２】
符号化・復号部７３は、伝送データとして装置外部からの伝送データ用に符号化されたデータを復号して送受信部７４に送出する機能と、送受信部７４を介して端末装置６１から得られるデータを受信して伝送データ用に符号化し、伝送データとして装置外部へと送出する機能とを有する。
【００３３】
送受信部７４は、クロック周波数変換部７２から供給される伝送クロックに同期して、符号化・復号化部７３によって端末装置６１へと伝送するのに適したデータに復号されたデータを端末装置６１に送信する機能と、クロック周波数変換部７２から供給される伝送クロックに同期して、端末装置６１から得られるデータを受信して符号化・復号部７３に送出する機能とを有する。尚、送受信部７４は、符号化・復号化部７３から復号されたデータを受信することが無い場合にも、ダミーデータを生成して端末装置６１に送信する機能を有する。
【００３４】
端末装置６１は、送受信部６２と、タイミング抽出部６３と、符号化・復号部６４と、クロック周波数逆変換部６５と、状態信号標本化・再生部６６と、標本化状態信号送受信部６７とを備える。
【００３５】
送受信部６２は、網側伝送制御装置７１から供給されるデータを符号化・復号部６４に送出する機能と、符号化・復号部６４から供給されるデータを網側伝送制御装置７１に送信する機能とを有する。
【００３６】
タイミング抽出部６３は、送受信部６２を経由して送受信部７４から送出されたＩＰパケットデータを常時監視しており、送受信部６２を経由する送受信部７４からのＩＰパケットデータの伝送タイミングを抽出して追跡する機能を有する。
【００３７】
符号化・復号部６４は、伝送データとして装置外部からの伝送データ用に符号化されたデータを復号して送受信部７４に送出する機能と、送受信部７４を介して端末装置６１から得られるデータを受信して伝送データ用に符号化し、伝送データとして装置外部へと送出する機能とを有する。
【００３８】
クロック周波数逆変換部６５は、タイミング抽出部６３が抽出した伝送タイミングに対して、クロック周波数変換部７２とは逆のクロック周波数変換（例えば分周）を施し、網クロック源１が供給したクロック信号と同一周期の同期したクロック信号を生成し、状態信号標本化・再生部６６及び標本化状態信号送受信部６７に供給する。
【００３９】
状態信号標本化・再生部６６は、クロック周波数逆変換部６５からのクロック信号に同期して、ＩＰ電話などの外部装置からアナログ状態信号を受信し、且つ標本化して標本化状態信号送受信部６７に送出する機能と、クロック周波数逆変換部６５からのクロック信号に同期して、標本化状態信号送受信部６７からの標本化状態信号を再生し、再生したアナログ状態信号をＩＰ電話などの外部装置に送出する機能とを有する。
【００４０】
標本化状態信号送受信部６７は、クロック周波数逆変換部６５からのクロック信号に同期して、状態信号標本化・再生部６６からの標本化状態信号を受信して、符号化・復号部６４に送出する機能と、クロック周波数逆変換部６５からのクロック信号に同期して、符号化・復号部６４からの標本化状態信号を受信して、状態信号標本化・再生部６６に送出する機能とを有する。
【００４１】
このように、端末装置６１と網側伝送制御装置７１は一体となって、アナログ状態信号を受信してＩＰパケット化を施し、伝送データとして装置外部へと送信する送信側機能と、伝送データとして装置外部からＩＰパケットを受信してアナログ状態信号を再生する受信側機能とを有する。
【００４２】
そこで、ＩＰ網における送信側及び受信側に、それぞれインターフェース装置としての端末装置６１及び網側伝送制御装置７１を設けた電気通信システム例を、新たに参照番号を付して説明する。
【００４３】
［電気通信システム］
図２は、本発明による一実施例の電気通信システムを示す図である。
【００４４】
図２に示す電気通信システムは、網側伝送制御装置（送信側）１１及び端末装置（送信側）２１と、網側伝送制御装置（受信側）３１及び端末装置（受信側）４１とを備える。
【００４５】
網側伝送制御装置（送信側）１１は、クロック周波数変換部１２と、符号化・復号化部１３と、送受信部１４とを備え、それぞれ前述したクロック周波数変換部７２、符号化・復号化部７３、及び送受信部７４における送信側機能に対応する。
【００４６】
端末装置（送信側）２１は、送受信部２２と、タイミング抽出部２３と、符号化・復号部２４と、クロック周波数逆変換部２５と、状態信号標本化・再生部２６と、標本化状態信号送受信部２７とを備え、それぞれ前述した送受信部６２、タイミング抽出部６３と、符号化・復号部６４と、クロック周波数逆変換部６５と、状態信号標本化・再生部６６と、標本化状態信号送受信部６７における送信側機能に対応する。網側伝送制御装置（送信側）１１と端末装置（送信側）２１との間は、伝送路１６で双方向通信可能である。
【００４７】
網側伝送制御装置（受信側）３１は、クロック周波数変換部３２と、符号化・復号化部３３と、送受信部３４とを備え、それぞれ前述したクロック周波数変換部７２、符号化・復号化部７３、及び送受信部７４における受信側機能に対応する。
【００４８】
端末装置（受信側）４１は、送受信部４２と、タイミング抽出部４３と、符号化・復号部４４と、クロック周波数逆変換部４５と、状態信号標本化・再生部４６と、標本化状態信号送受信部４７とを備え、それぞれ前述した送受信部６２、タイミング抽出部６３と、符号化・復号部６４と、クロック周波数逆変換部６５と、状態信号標本化・再生部６６と、標本化状態信号送受信部６７における受信側機能に対応する。網側伝送制御装置（受信側）３１と端末装置（受信側）４１との間は、伝送路３６で双方向通信可能である。
【００４９】
網側伝送制御装置（送信側）１１と網側伝送制御装置（受信側）３１との間は、任意の接続方法による伝送路５１で双方向通信可能である。また、端末装置（受信側）４１から端末装置（送信側）２１へと送信されるデータ１５がある場合を想定する。更に、端末装置（送信側）２１から端末装置（受信側）４１へ送信されるデータ１７がある場合を想定する。
【００５０】
クロック周波数変換部１２は、必ずしも網側伝送制御装置（送信側）ｌ１内部にある必要はなく、網側伝送制御装置（送信側）１１外に設けるか、又は機能を分割して網側伝送制御装置（送信側）１１の内外に設けることもできる。同様に、クロック周波数変換部３２は、必ずしも網側伝送制御装置（受信側）３１内部にある必要はなく、網側伝送制御装置（受信側）３１外に設けるか、又は機能を分割して網側伝送制御装置（受信側）３１の内外に設けることができる。
【００５１】
端末装置（送信側）２１では、通信対象となるアナログ状態信号は、状態信号標本化・再生部２６によって標本化され、さらに、状態信号標本化・再生部２６によって端末装置（受信側）４１へ送信される標本化したデータ２８となる。
【００５２】
データ２８は、端末装置（送信側）２１から端末装置（受信側）４１へ送信され、各経路上のデータフローを、データ１７、データ５２、データ３５として順に図示している。端末装置（送信側）２１から送信されたデータ２８は、端末装置（受信側）４１によりデータ３５として受信され、状態信号標本化・再生部４６により再生されることになるデータ４８となる。
【００５３】
一方、データ３７は、端末装置（受信側）４１から端末装置（送信側）２１へ送信され、各経路上のデータフローを、データ５３、データ１５として順に図示している。尚、端末装置（受信側）４１から端末装置（送信側）２１へ送信されるデータ３７は、送信側のタイミング抽出部２３におけるタイミング抽出に利用されるデータにもなり、データ３７（データ５３）が存在しない場合にも、送受信部１４によりデータ１５をダミーのデータとして生成することにより、送受信部２２に送信される。
【００５４】
網クロック源１は、クロック周波数変換部１２とクロック周波数変換部３２に同一周期（同一周波数）のクロック信号を供給する。
【００５５】
まず、送信側の動作を説明するに、クロック周波数変換部１２は、網クロック源１から供給されたクロック信号をデータ伝送に適した伝送クロックに変換（例えば定倍）し、送受信部１４に供給する。
【００５６】
符号化・復号化部１３は、伝送路５１からデータ５３を受信し、伝送路１６にて伝送するのに適したデータ１５に変換（符号化）する。
【００５７】
送受信部１４は、クロック周波数変換部１２から供給された伝送クロックに同期して、伝送路１６にて伝送するのに適したデータ１５を、伝送路１６を経て送受信部２２に送信する。尚、送受信部１４は、データ５３が存在しない場合にも、ダミーのデータを生成してデータ１５として送信する。
【００５８】
タイミング抽出部２３は、送受信部２２を介して、送受信部１４が送信したデータ１５の伝送タイミングを抽出する。データ１５は、クロック周波数変換部１２の伝送タイミングで順次伝送されるパケット化データであり、容易に伝送タイミングを抽出することができる。
【００５９】
クロック周波数変換部２５は、タイミング抽出部２３が抽出したタイミングを、クロック周波数変換部１２とは逆のクロック変換（例えば分周）を施し、網クロック源１が供給したクロック信号と同一周期の同期したクロック信号２９を得る。
【００６０】
アナログ状態信号を標本化する状態信号標本化・再生部２６、及び標本化されたデータを送信する標本化状態信号送受部２７は、クロック周波数変換部２５が得た、網クロック源１が供給したクロック信号と同一周期で同期して動作する。
【００６１】
従って、端末装置（送信側）２１は、状態信号標本化・再生部２６によって、網クロック源１が供給したクロック信号と同一周期で同期して通信対象となるアナログ状態信号を標本化し、標本化状態信号送受部２７によって、標本化したデータ２８を受信し、さらに、符号化・復号部２４によって伝送路１６にて伝送するのに適したデータに信号変換（符号化）し、送受信部２２を介してデータ１７として伝送することができる。データ１７は、送受信部１４を介して符号化・復号部１３に送出され、符号化・復号部１３は、伝送路５１にて伝送するのに適したデータに信号変換し、データ５２を生成して送出する。
【００６２】
一方、受信側の動作を説明するに、クロック周波数変換部３２は、網クロック源１から供給されたクロック信号を伝送路３６にて伝送するのに適した伝送クロックに変換（例えば定倍）し、送受信部３４に供給する。
【００６３】
符号化・復号化部３３は、伝送路５１を介してデータ５２を受信し、伝送路３６を介して伝送するのに適したデータに変換する。
【００６４】
送受信部３４は、クロック周波数変換部３２から供給された伝送クロックに同期して、符号化・復号化部３３が変換したデータを、データ３５として伝送路３６を介して送受信部４２に送信する。尚、端末装置（送信側）２１から端末装置（受信側）４１へ送信されるデータ５２は、受信側のタイミング抽出部４３におけるタイミング抽出に利用されるデータにもなり、データ５２が存在しない場合にも、送受信部３４によりデータ３５をダミーのデータとして生成することにより、送受信部４２に送信される。
【００６５】
送受信部４２は、受信したデータ３５を符号化・復号部４４に送出し、符号化・復号部４４は、データ３５を信号変換して標本化状態信号を生成し、状態信号標本化・再生部４７に送出する。
【００６６】
タイミング抽出部４３は、送受信部４２を介して、送受信部３４が送信したデータ３５の伝送タイミングを抽出する。データ３５は、クロック周波数変換部３２の伝送タイミングで順次伝送されるパケット化データであり、容易に伝送タイミングを抽出することができる。
【００６７】
クロック周波数逆変換部４５は、タイミング抽出部４３が抽出したタイミングを、クロック周波数変換部３２とは逆のクロック変換（例えば分周）を施し、網クロック源１が供給したクロック信号と同一周期の同期したクロック信号４９を得る。
【００６８】
標本化されたデータを受信する標本化状態信号送受信部４７、及びアナログ状態信号を再生する状態信号標本化・再生部４６は、クロック周波数変換部４５が得た、網クロック源１が供給したクロック信号と同一周期で同期して動作する。
【００６９】
従って、端末装置（受信側）４１は、網クロック源１が供給したクロック信号と同一周期で同期して、符号化・復号部４４からの標本化状態信号を標本化状態信号送受信部４７によって標本化し、標本化したデータ４８をアナログ状態信号に再生することができる。
【００７０】
以上の動作によれば、クロック信号２９とクロック信号４９は、網クロック源１と同一周期の同期したクロック信号となり、アナログ状態信号を標本化する状態信号標本化・再生部２６、標本化されたデータを送信する状態信号標本化・再生部２７、送信側から送信された標本化されたデータを再生する状態信号標本化・再生部４６、及び送信側から送信された標本化されたデータを受信する状態信号標本化・再生部４７は、全て網クロック源１が供給したクロック信号と同一周期で同期して動作する。
【００７１】
即ち、アナログ状態信号を標本化して符号化する送信側と、符号化されたデータを復号して標本化されたデータからアナログ状態信号へと再生する受信側は、全て同期して動作するため、送信側にてアナログ状態信号を標本化する周期、送信側にて標本化されたデータを受信側へ送信する周期、受信側にて送信側から送信された標本されたデータを受信する周期、及び、受信側にてアナログ状態信号へと再生する周期を一致させることができる。
【００７２】
これにより、例えば、送信側及び受信側に本実施例の加入者線インターフェース装置を提供し、状態信号標本化・再生部２６（例えばＢＯＲＳＣＨＴ機能）にて、一定周期（同一周期）で音声をＡ／Ｄ変換して受信側へ送信し、状態信号標本化・再生部４６（例えばＢＯＲＳＣＨＴ機能）にて、送信側から送信された標本化された音声を一定周期（同一周期）でＤ／Ａ変換し、音声通信を実現することができる。このような音声通信又は画像通信などの電気通信システムによれば、送信側で標本化された音声又は画像が受信側で再生される間隔が異なる問題や、送信側で標本化された音声又は画像が受信側で再生されずに廃棄される問題や、受信側で再生される音声又は画像が不足して補間を要するなどの問題を生じさせることなく、通信品質の劣化を防止することができるようになる。
【００７３】
尚、図２に示す本実施例の電気通信システムでは、端末装置（送信側）２１で標本化したデータを、端末装置（受信側）４１へ送信して再生する例を示したが、端末装置（送信側）４１で標本化したデータを、端末装置（受信側）２１へ送信して再生する場合も同様の原理で動作することで、同様の効果を得ることができる。
【００７４】
本発明の理解をより容易にするため、広く使用されている網クロック源１のクロック周波数８［ｋＨｚ］と伝送方式「１０００ＢＡＳＥ−ＬＸ」、送信側及び受信側に加入者線インターフェース機能（ＢＯＲＳＣＨＴ機能）を設けて音声を通信するＶｏＩＰ通信の例を挙げて説明する。
【００７５】
［電気通信システムの実現例］
図３は、「１０００ＢＡＳＥ−ＬＸ」による電気通信網に適用した場合の実施例を示す図である。伝送路１１６と伝送路１３６を「１０００ＢＡＳＥ−ＬＸ」としている。
【００７６】
網側伝送制御装置（送信側）１１１は、クロック周波数変換部１１２と、符号化・復号化部１１３と、送受信部１１４とを備え、それぞれ図２に示すクロック周波数変換部１２、符号化・復号化部１３、及び送受信部１４に対応する。
【００７７】
端末装置（送信側）１２１は、送受信部１２２と、タイミング抽出部１２３と、符号化・復号部１２４と、クロック周波数逆変換部１２５と、状態信号標本化・再生部１２６と、標本化状態信号送受信部１２７とを備え、それぞれ図２に示す送受信部２２、タイミング抽出部２３と、符号化・復号部２４と、クロック周波数逆変換部２５と、状態信号標本化・再生部２６と、標本化状態信号送受信部２７に対応する。
【００７８】
網側伝送制御装置（受信側）１３１は、クロック周波数変換部１３２と、符号化・復号化部１３３と、送受信部１３４とを備え、それぞれ図２に示すクロック周波数変換部３２、符号化・復号化部３３、及び送受信部３４に対応する。
【００７９】
端末装置（受信側）１４１は、送受信部１４２と、タイミング抽出部１４３と、符号化・復号部１４４と、クロック周波数逆変換部１４５と、状態信号標本化・再生部１４６と、標本化状態信号送受信部１４７とを備え、それぞれ前述した送受信部４２、タイミング抽出部４３と、符号化・復号部４４と、クロック周波数逆変換部４５と、状態信号標本化・再生部４６と、標本化状態信号送受信部４７に対応する。
【００８０】
網クロック源１０１は、電気通信網に８［ｋＨｚ］のクロック信号を供給する。
【００８１】
クロック周波数変換部１１２は、網クロック源１０１から供給されたクロック信号を、周波数１．２５［ＧＨｚ］の１５６２５０定倍した伝送クロックに変換し、送受信部１１４に供給する。
【００８２】
符号化・復号化部１１３は、任意の接続方法による伝送路１５１を経て１［Ｇｂｐｓ］のデータ１５３を受信して８Ｂ／１０Ｂ変換を施し、伝送路１１６にて伝送するのに適した１．２５［Ｇｂｐｓ］のデータ１１５に変換する。
【００８３】
送受信部１１４は、クロック周波数変換部１１２から供給された伝送クロックに同期して、符号化・復号化部１１３が変換したデータ１１５を伝送路１１６を介して送受信部１２２に送信する。送受信部１１４は、データ１５３が存在しない場合、端末装置１２１の同期確保のためにダミーのデータを生成してデータ１１５として送信する。
【００８４】
タイミング抽出部１２３は、送受信部１２２を経由して伝送路１１６に接続され、送受信部１１４が伝送路１１６に送信されるデータｌ１５を送僑したタイミング１．２５［ＧＨｚ］を抽出する。
【００８５】
クロック周波数変換部１２５は、タイミング抽出部１２３が抽出したタイミング１．２５［ＧＨｚ］を、クロック周波数変換部１１２が行ったとは逆のクロック変換（１／１５６２５０分周）し、網クロック源１０１が供給した８［ｋＨｚ］のクロック信号と同一周期のクロック信号１２９を得る。
【００８６】
アナログ状態信号（本例では、音声信号）を標本化する状態信号標本化・再生部１２６、及び標本化された音声データを送信する状態信号標本化・再生部１２７は、クロック周波数変換部１２５が得た、網クロック源１０１が供給した８［ｋＨｚ］のクロック信号と同一周期で同期して動作する。状態信号標本化・再生部１２６は、８［ｋＨｚ］周期で音声信号をＡ／Ｄ変換して標本化された音声データを生成する。状態信号標本化・再生部１２７は、標本化された音声データを符号化・復号化部１１３に送出し、符号化・復号化部１１３は、８Ｂ／１０Ｂ変換を施し、伝送路１１６にて伝送するのに適した１．２５［Ｇｂｐｓ］のデータ１１５に変換する。送受信部１２２は、符号化・復号化部１１３からの音声データをデータ１１７として送受信部１１４に送信する。データ１１７は、送受信部１１４を介して符号化・復号部１１３に通され、符号化・復号部１１３により１０Ｂ／８Ｂ変換を施したデータ１５２として送出される。
【００８７】
一方、クロック周波数変換部１３２は、網クロック源１０１から供給されたクロック信号を、１．２５［ＧＨｚ］に１５６２５０定倍した伝送クロックに変換し、送受信部１３４に供給する。
【００８８】
符号化・復号化部１３３は、任意の接続方法による伝送路１５１を経て１［Ｇｂｐｓ］のデータ１５２を受信して８Ｂ／１０Ｂ変換を施し、伝送路１３６にて伝送するのに適した１．２５［Ｇｂｐｓ］のデータに変換する。
【００８９】
送受信部１３４は、クロック周波数変換部１３２から供給された伝送クロックに同期して、符号化・復号化部１３３が変換したデータ１３５を伝送路１３６に送信する。送受信部１３４は、データ１５２が存在しない場合、ダミーのデータを生成してデータ１３５として送信する。
【００９０】
タイミング抽出部１４３は、送受信部１４２を経由して伝送路１３６に接続され、送受信部１３４が伝送路１３６に送信されるデータ１３５を送信したタイミング１．２５［ＧＨｚ］を抽出する。
【００９１】
クロック周波数変換部１４５は、タイミング抽出部１４３が抽出したタイミング１．２５［ＧＨｚ］を、クロック周波数変換部１３２とは逆のクロック変換（１／１５６２５０分周）を施し、網クロック源１０１が供給した８［ｋＨｚ］のクロック信号と同一周期のクロック信号１４９を得る。
【００９２】
標本化された音声データを受信する状態信号標本化・再生部１４７、及びアナログ状態信号を再生する状態信号標本化・再生部１４６は、クロック周波数変換部１４５が得た、網クロック源１０１が供給した８［ｋＨｚ］のクロック信号と同一周期で同期して動作し、状態信号標本化・再生部１４６は、８［ｋＨｚ］周期で音声データをＤ／Ａ変換して、音声信号を再生する。
【００９３】
尚、標本化された音声データを送信する状態信号標本化・再生部１２７は、状態信号標本化・再生部１２６がＡ／Ｄ変換した音声データを一定期間分、例えば１６０周期分（２０［ｍｓ］分）を蓄積し、一括してＩＰパケット化し、端末装置（受信側）１４１へ送信されるデータ１２８とする。
【００９４】
従って、送受信部１４２は、伝送路１３６からデータ１３５を受信し、符号化・復号化部１４４に送出し、符号化・復号化部１４４は、送受信部１４２が受信したデータ１３５を１０Ｂ／８Ｂ変換し、標本化されたアナログ状態信号を受信する状態信号標本化・再生部１４７へ送信されるデータ１４８を生成する。
【００９５】
標本化されたアナログ状態信号を受信する状態信号標本化・再生部１４７は、データ１４８のＩＰパケットをＩＰパケット化した周期と同じ周期で分解（本例の場合、１６０周期分（２０［ｍｓ］分）ごとに分解）し、音声データを得る。
【００９６】
標本化された音声データを受信する状態信号標本化・再生部１４７が得た音声データは、状態信号標本化・再生部１４６によってＤ／Ａ変換され、音声信号が再生される。
【００９７】
本例では、状態信号標本化・再生部１２６が音声信号をＡ／Ｄ変換する周期と、状態信号標本化・再生部１４６が音声データをＤ／Ａ変換する周期とは、共に網クロック源１０１が供給した８［ｋＨｚ］のクロック信号と同一周期で同期する。このため、送信側で標本化された音声が受信側で再生される間隔が異なる問題や、送信側で標本化された音声が受信側で再生されず廃棄される問題や、受信側で再生される音声が不足して補間を要する問題などの通信品質を劣化させる事象の発生を防止できる。
【００９８】
また、音声データを伝送する目的の伝送路１１６及び伝送路１３６を介して網クロック源１０１のクロック信号を配信することで、最小限の装置増で、煩雑な作業なしでクロック配信を実現することができる。
【００９９】
図３は、本発明の伝送路１１６と伝送路１３６を「１０００ＢＡＳＥ−ＬＸ」とした場合の動作例を示したが、網クロック源１０１が供給したクロック信号と同一周期の同期した周期のクロック信号１２９及びクロック信号１４９を得ることを可能とする任意の伝送方式とすることができる。
【０１００】
図３は、本発明の伝送路１１６と伝送路１３６を双方とも「１０００ＢＡＳＥ−ＬＸ」とした場合の動作例を示したが、網クロック源１０１が供給したクロック信号と同一周期の同期した周期のクロック信号１２９及びクロック信号１４９を得ることが可能とするような、伝送路１１６と伝送路１３６で異なる伝送方式の電気通信網とすることもできる。
【０１０１】
また、本発明による一態様のインターフェース装置は、ＩＰ網で接続される送信側と受信側との間で共通のクロック信号（網クロック源１のクロック信号）によりデータを同期伝送するインターフェース装置（例えば、アナログ加入者線インターフェース装置）として構成することができる。このようなインターフェース装置は、アナログ状態信号を標本化して伝送データを生成する状態信号標本化・再生部６６と、該伝送データを当該クロック信号を同期して変換した伝送クロックで受信側に送信する送受信部（送信機能）７４と、受信側からの伝送データを当該伝送クロックで受信する送受信部（受信機能）７４と、受信した伝送データから伝送タイミングを抽出するタイミング抽出部６３と、受信した伝送データから抽出した伝送タイミングで再生される伝送クロックを、受信した伝送データから抽出した伝送タイミングで再生される伝送クロックを、当該クロック信号と同一周期のクロック信号に逆変換するクロック周波数逆変換部６５とを備える。この場合の状態信号標本化・再生部６６は、逆変換したクロック信号で当該アナログ状態信号を標本化して伝送データを生成する。この送受信部７４は、受信側から所定サイズ（例えば、ＩＰパケットサイズ）の伝送データの空きを検出する機能を有し、該空きを検出した場合に、ダミーデータを受信した伝送データとして生成する。
【０１０２】
更に、このようなインターフェース装置は、送信側と受信側との間で共通のクロック源から供給されるクロック信号の周波数に基づいて、当該伝送クロックを生成するクロック周波数変換部７２を更に備えることもできる。
【０１０３】
更に、このようなインターフェース装置は、受信側からの伝送データを当該伝送クロックで同期して逆変換したクロック信号で当該アナログ状態信号へと再生する状態信号標本化・再生部６６を更に備えることもできる。
【０１０４】
また、このようなインターフェース装置は、ＩＰ網で接続される送信側と受信側における双方のインターフェース装置で接続されるＩＰ網の伝送路において、他の既存のインターフェースで接続される伝送路と共用して用いることができる。
【０１０５】
このように、前述した実施例では、特定の形態について説明したが、本発明は、前述した実施例に限定されるものではなく、その主旨を逸脱しない範囲において種々変更可能である。本発明によれば、前述した実施例に限定されるものではなく、その主旨を逸脱しない範囲において多くの変形例を実現することができる。  
【産業上の利用可能性】
【０１０６】
本発明によれば、専用線を有することなく同期伝送を確保するため、任意の電気通信網に有用である。
【符号の説明】
【０１０７】
１  網クロック源
１１  網側伝送制御装置（送信側）
１２  クロック周波数変換部
１３  符号化・復号化部
１４  送受信部
１５  受信側から送信側へ送信されるデータ
１６  送信側の網側伝送制御装置及び端末装置を接続する伝送路
１７  送信側から受信側へ送信されるデータ
２１  端末装置（送信側）
２２  送受信部
２３  タイミング抽出部
２４  符号化・復号化部
２５  クロック周波数変換部
２６  状態を標本化する状態信号標本化・再生部
２７  データを送信する状態信号標本化・再生部
２８  標本化したデータ
２９  網クロック源が供給したクロック信号と同一周期のクロック信号
３１  網側伝送制御装置（受信側）
３２  クロック周波数変換部
３３  符号化・復号化部
３４  送受信部
３５  端末装置（送信側）から端末装置（受信側）へ送信されるデータ
３６  網側伝送制御装置（受信側）及び端末装置（受信側）を接続する伝送路
３７  端末装置（受信側）から端末装置（送信側）へ送信されるデータ
４１  端末装置（受信側）
４２  送受信部
４３  タイミング抽出部
４４  符号化・復号化部
４５  クロック周波数逆変換部
４６  状態を再生する状態信号標本化・再生部
４７  データを受信する状態信号標本化・再生部
４８  端末装置(送信側)が送信し、状態信号標本化・再生部が再生されるデータ
４９  網クロック源が供給したクロック信号と同一周期のクロック信号
５１  符号化・復号化部と符号化・復号化部を接続する任意の接続方法の伝送路
５２  端末装置(送信側)から端末装置(受信側)へ送信されるデータ
５３  端末装置(受信側)から端末装置(送信側)へ送信されるデータ
６１  端末装置（送信側）
６２  送受信部
６３  タイミング抽出部
６４  符号化・復号化部
６５  クロック周波数逆変換部
６６  状態を標本化する状態信号標本化・再生部
６７  データを送信する状態信号標本化・再生部
７１  網側伝送制御装置
７２  クロック周波数変換部
７３  符号化・復号化部
７４  送受信部
１０１  網クロック源（８［ｋＨｚ］）
１１１  網側伝送制御装置（送信側）
１１２  クロック周波数変換部（１５６２５０倍）
１１３  符号化・復号化部（８Ｂ／１０Ｂ変換，１０Ｂ／８Ｂ変換）
１１４  送受信部
１１５  端末装置（受信側）から端末装置（送信側）へ送信されるデータ
１１６  網側伝送制御装置（送信側）及び端末装置（送信側）を接続する伝送路
１１７  端末装置（送信側）から端末装置（受信側）へ送信されるデータ
１２１  端末装置（送信側）
１２２  送受信部
１２３  タイミング抽出部
１２４  符号化・復号化部（８Ｂ／１０Ｂ変換）
１２５  クロック周波数変換部（１／１５６２５０分周）
１２６  アナログ状態信号を標本化する状態信号標本化・再生部（Ａ／Ｄ変換）
１２７  状態信号標本化・再生部（１６０周期分（２０［ｍｓ］分）ごとにＩＰパケット化）
１２８  状態信号標本化・再生部が標本化したデータ
１２９  網クロック源が供給した８［ｋＨｚ］のクロック信号と同一周期のクロック信号（８［ｋＨｚ］）
１３１  網側伝送制御装置（受信側）
１３２  クロック周波数変換部（１５６２５０倍）
１３３  符号化・復号化部（８Ｂ／１０Ｂ変換）
１３４  送受信部
１３５  端末装置（送信側）から端末装置（受信側）へ送信されるデータ
１３６  網側伝送制御装置（受信側）及び端末装置（受信側）に接続する伝送路
１３７  端末装置（受信側）から端末装置（送信側）へ送信されるデータ
１４１  端末装置（受信側）
１４２  送受信部
１４３  タイミング抽出部
１４４  符号化・復号化部（１０Ｂ／８Ｂ変換）
１４５  クロック周波数逆変換部（１／１５６２５０分周）
１４６  アナログ状態信号を再生する状態信号標本化・再生部（Ｄ／Ａ変換）
１４７  データを受信する状態信号標本化・再生部（１６０周期分（２０［ｍｓ］分）ごとにＩＰパケットを分解）
１４８  端末装置（送信側）が送信し状態信号標本化・再生部が再生されるデータ
１４９  網クロック源が供給した８［ｋＨｚ］のクロックと同一周期のクロック（８［ｋＨｚ］）
１５１  符号化・復号化部と符号化・復号化部を接続する任意の接続方法の伝送路
１５２  端末装置（送信側）から端末装置（受信側）へ送信されるデータ
１５３  端末装置（受信側）から端末装置（送信側）へ送信されるデータ
【図１】
2010199667.tif 000003
【図２】
2010199667.tif 000004
【図３】
2010199667.tif 000005
【図４】
2010199667.tif 000006